(57)【要約】【課題】被搬送物を次工程に好適に搬送することのできる搬送装置を提供する。【解決手段】  搬送装置１は、被搬送物Ｔの長手方向の長さよりも大きい幅を備える第１搬送コンベア１０と、第１搬送コンベア１０の下流側に連続して配置される第２搬送コンベア２０と、第１搬送コンベア内の下流において、下流側に向けて幅狭となるように配置されるストッパー３０と、ストッパーにおいて停止された被搬送物を検知する検知部４０と、ストッパーにおいて停止された被搬送物を第１搬送コンベアから排出する排出部５０と、排出部が被搬送物を排出する際に退避可能なサイドガイド６０と、を有する。【選択図】図１
2020152543.tif 000002
【特許請求の範囲】
【請求項１】
処理庫から搬出された被搬送物を次工程に搬送する搬送装置であって、
前記処理庫から搬出された前記被搬送物が搬送されるとともに、前記被搬送物の長手方向の長さよりも大きい幅を備える第１搬送コンベアと、
前記第１搬送コンベアの下流側に連続して配置される第２搬送コンベアと、
前記第１搬送コンベア内の下流において、前記下流側に向けて幅狭となるように配置され、前記長手方向が搬送方向に対して傾斜する前記被搬送物の前記搬送方向への移動を停止させるストッパーと、
前記ストッパーにおいて停止された前記被搬送物を検知する検知部と、
前記ストッパーにおいて停止された前記被搬送物を前記第１搬送コンベアから排出する排出部と、
前記被搬送物の搬送をガイドするとともに、前記排出部が前記被搬送物を排出する際に退避可能なサイドガイドと、を有する搬送装置。
【請求項２】
前記検知部は、反射型の光電センサである、請求項１に記載の搬送装置。
【請求項３】
前記排出部は、前記被搬送物をエアーによって排出する、請求項１または２に記載の搬送装置。
【請求項４】
処理庫から搬出された被搬送物を次工程に搬送する搬送方法であって、
前記被搬送物の長手方向の長さよりも大きい幅を備える第１搬送コンベア上を、前記被搬送物が搬送方向に沿って搬送される工程と、
前記第１搬送コンベア内の下流において、前記下流側に向けて幅狭となるように配置されるストッパーによって、前記長手方向が前記搬送方向に対して傾斜する前記被搬送物の前記搬送方向への移動を停止させる工程と、
前記ストッパーにおいて停止した前記被搬送物を検知する工程と、
前記被搬送物の検知に基づいて、サイドガイドを退避させる工程と、
前記ストッパーにおいて停止した前記被搬送物を前記第１搬送コンベアから排出する工程と、を有する搬送方法。
【発明の詳細な説明】
【技術分野】
【０００１】
本発明は、搬送装置および搬送方法に関する。
【背景技術】
【０００２】
例えば、冷凍麺類は、麺を茹でて冷水で冷却した後、麺の塊をトレーに投入し、フリーザーによって冷凍されることによって製造されている。これに関連して、例えば下記の特許文献１には、冷凍麺を冷凍するフリーザーが開示されている。
【先行技術文献】
【特許文献】
【０００３】
【特許文献１】特開平９−１２１８２７号公報
【発明の概要】
【発明が解決しようとする課題】
【０００４】
このような処理庫から搬出された被搬送物（冷凍麺が配置されたトレー）は、次工程に搬送されて、次工程では例えば、麺類をトレーから分離させる脱パン処理が行われる。一般的に、次工程に向けて被搬送物を搬送するにあたって、搬送方向が被搬送物の長手方向と一致するように、処理庫から搬出される。しかしながら様々な要因によって、被搬送物の長手方向が搬送方向に対して傾斜して処理庫から搬出される場合がある。このように被搬送物の長手方向が搬送方向に対して傾斜した場合、次工程に向けて被搬送物を好適に搬送することができない虞がある。
【０００５】
本発明は、上記課題を解決するために発明されたものであり、被搬送物を次工程に向けて好適に搬送することのできる搬送装置、搬送方法を提供することを目的とする。
【課題を解決するための手段】
【０００６】
上記目的を達成する本発明に係る搬送装置は、処理庫から搬出された被搬送物を搬送する搬送装置である。搬送装置は、前記処理庫から搬出された前記被搬送物が搬送されるとともに、前記被搬送物の長手方向の長さよりも大きい幅を備える第１搬送コンベアと、前記第１搬送コンベアの下流側に連続して配置される第２搬送コンベアと、前記第１搬送コンベア内の下流において、前記下流側に向けて幅狭となるように配置され、前記長手方向が搬送方向に対して傾斜する前記被搬送物の前記搬送方向への移動を停止させるストッパーと、前記ストッパーにおいて停止された前記被搬送物を検知する検知部と、前記ストッパーにおいて停止された前記被搬送物を前記第１搬送コンベアから排出する排出部と、前記被搬送物をガイドするとともに、前記排出部が前記被搬送物を排出する際に退避可能なサイドガイドと、を有する。
【０００７】
また、上記目的を達成する本発明に係る搬送方法は、処理庫から搬出された被搬送物を搬送する搬送方法である。搬送方法は、前記被搬送物の長手方向の長さよりも大きい幅を備える第１搬送コンベア上を、前記被搬送物が搬送方向に沿って搬送される工程と、前記第１搬送コンベア内の下流において、前記下流側に向けて幅狭となるように配置されるストッパーによって、前記長手方向が前記搬送方向に対して傾斜する前記被搬送物の前記搬送方向への移動を停止させる工程と、前記ストッパーにおいて停止した前記被搬送物を検知する工程と、前記被搬送物の検知に基づいて、サイドガイドを退避する工程と、前記ストッパーにおいて停止した前記被搬送物を前記第１搬送コンベアから排出する工程と、を有する。
【発明の効果】
【０００８】
上述の搬送装置および搬送方法によれば、長手方向が搬送方向に対して傾斜する被搬送物をストッパーによって停止させ、ストッパーにおいて停止した被搬送物を、排出部によって、第１搬送コンベアから排出することができる。一方、長手方向が搬送方向と一致する被搬送物はストッパーに停止させられることなく、第１搬送コンベアから第２搬送コンベアに移動する。このため、長手方向が搬送方向に対して傾斜して配置される被搬送物が第１搬送コンベア上に留まることを防止でき、被搬送物を次工程に好適に搬送することができる。
【図面の簡単な説明】
【０００９】
【図１】本発明の実施形態に係る搬送装置を示す概略平面図である。
【図２】本実施形態に係る搬送装置の搬送方法を説明するための概略平面図であって、被搬送物の長手方向が搬送方向と一致する場合を示す図である。
【図３】本実施形態に係る搬送装置の搬送方法を説明するための概略平面図であって、被搬送物の長手方向が搬送方向に対して傾斜する場合を示す図である。
【発明を実施するための形態】
【００１０】
本発明の実施形態を、図１を参照しつつ説明する。なお、図面の説明において同一の要素には同一の符号を付し、重複する説明を省略する。図面の寸法比率は、説明の都合上誇張されており、実際の比率とは異なる場合がある。本実施形態では、搬送装置１が搬送する被搬送物Ｔとして、冷凍麺が配置されたトレーを例に挙げて説明する。
【００１１】
図１は、本発明の実施形態に係る搬送装置１を示す概略平面図である。以下の説明において、図１の左右方向をＸ方向（搬送方向に相当）、図１の上下方向をＹ方向と称する。図１において、紙面の奥が鉛直方向の下となり、紙面の手前が鉛直方向の上となる。
【００１２】
本実施形態に係る搬送装置１は、図１に示すように、フリーザーＦからＹ方向の下向きに搬出されてきた被搬送物Ｔを、Ｘ方向に向けて搬送する。フリーザーＦとしては公知のフリーザーＦを用いることができるため、ここでは詳細な説明は省略する。
【００１３】
本実施形態に係る搬送装置１は、図１に示すように、フリーザーＦのＹ方向の下側に配置される第１搬送コンベア１０と、第１搬送コンベア１０のＸ方向の右側に第１搬送コンベア１０に連続して配置される第２搬送コンベア２０と、第１搬送コンベア１０のうち下流に設けられるストッパー３０と、ストッパー３０のＹ方向の上側に設けられる検知部４０と、検知部４０のＸ方向の右側に設けられる排出部５０と、第１搬送コンベア１０のＹ方向の下側に設けられるサイドガイド６０と、排出部５０およびサイドガイド６０の動作を制御する制御部（不図示）と、を有する。
【００１４】
第１搬送コンベア１０は、図１に示すように、被搬送物ＴをＸ方向の右向きに搬送する。第１搬送コンベア１０は、Ｘ方向に延在して設けられる。第１搬送コンベア１０は、例えばベルトコンベアであるが、これに限定されない。第１搬送コンベア１０のＹ方向に沿う第１の幅Ｗ１は、被搬送物Ｔの長手方向の長さＬ１よりもわずかに大きい。
【００１５】
第２搬送コンベア２０は、図１に示すように、被搬送物Ｔを下流に向けて搬送する。第２搬送コンベア２０の下流には、例えば、冷凍麺をトレーから脱パンする脱パン装置が設けられる。第２搬送コンベア２０は、例えばベルトコンベアであるが、これに限定されない。第２搬送コンベア２０のＹ方向に沿う第２の幅Ｗ２は、第１の幅Ｗ１よりも小さい。また、第２搬送コンベア２０の第２の幅Ｗ２は、被搬送物Ｔの短手方向の長さＬ２よりもわずかに大きい。
【００１６】
ストッパー３０は、図１に示すように、第１搬送コンベア１０内の下流に設けられる。また、ストッパー３０は、サイドガイド６０までのＹ方向に沿う距離が下流側に向けて幅狭となるように、Ｘ方向に対して傾斜して配置されている。このようにストッパー３０が構成されるため、後述するように、長手方向が搬送方向に対して傾斜して配置する被搬送物Ｔは、ストッパー３０において停止することになる（図３参照）。
【００１７】
検知部４０は、ストッパー３０において被搬送物Ｔが停止したことを検知する。検知部４０は、反射型の光電センサである。すなわち、被搬送物Ｔがストッパー３０において停止している際、検知部４０から光が送信され、送信された光は被搬送物Ｔにおいて反射されて、検知部４０に戻ることによって、被搬送物Ｔの存在を検知する。
【００１８】
なお、検知部として、透過型の光電センサを用いてもよい。透過型の光電センサを用いる場合は、投光器を検知部４０と同じ場所に配置し、受光器を後述するサイドガイド６０の移動サイドガイド６２に配置する。このとき、移動サイドガイド６２は、後述するように、鉛直方向の上下方向に移動可能であるため、鉛直方向の下向きに移動した後に、鉛直方向の上向きに移動した際に、受光器は当初の位置とはわずかに異なる場合がある。このように受光器が所望の位置とは異なる位置に戻った時に、投光器からの光を受信できない可能性がある。これに対して、反射型の光電センサであれば、上記の懸念がないため、確実に被搬送物Ｔの存在を検知することができる。なお、透過型の光電センサである検知部も本発明に含まれるものとする。
【００１９】
排出部５０は、図１に示すように、検知部４０の下流側に設けられる。排出部５０は、ストッパー３０に停止された被搬送物Ｔを第１搬送コンベア１０から排出する。排出部５０は、第１搬送コンベア１０上の被搬送物Ｔに対してエアーを吹き付けることによって、被搬送物Ｔを第１搬送コンベア１０から排出する。第１搬送コンベア１０から排出された被搬送物Ｔは、移動サイドガイド６２のＹ方向の下側に位置する収納部Ａに収納される。
【００２０】
サイドガイド６０は、図１に示すように、第１搬送コンベア１０のＹ方向の下側に設けられる。サイドガイド６０は、第１搬送コンベア１０における被搬送物Ｔの搬送をガイドするために設けられる。サイドガイド６０は、上流側に設けられる固定サイドガイド６１と、固定サイドガイド６１の下流側に設けられる移動サイドガイド６２と、を有する。
【００２１】
固定サイドガイド６１は、図１に示すように、Ｘ方向に沿って設けられる。固定サイドガイド６１は、第１搬送コンベア１０に対して固定して設けられている。
【００２２】
移動サイドガイド６２は、図１に示すように、Ｘ方向に沿って設けられる。移動サイドガイド６２は、排出部５０が被搬送物Ｔを第１搬送コンベア１０から搬出する際に、鉛直方向の下向きに退避可能となっている。移動サイドガイド６２は、不図示のシリンダーによって、上下移動される。
【００２３】
制御部は、排出部５０および移動サイドガイド６２の駆動を制御する。制御部は、例えばＣＰＵである。制御部は、検知部４０からの信号を受信して、移動サイドガイド６２を駆動するシリンダーに信号を送信して移動サイドガイド６２を下向きに退避させるとともに、排出部５０に信号を送信して排出部５０を駆動させる。
【００２４】
次に、図２、図３を参照して、本実施形態に係る搬送装置１の搬送方法について説明する。なお、以下の説明において、搬送装置１の各種構成の動作は制御部によって行われる。図２は、本実施形態に係る搬送装置１の搬送方法を説明するための概略平面図であって、被搬送物Ｔの長手方向が搬送方向と略一致する場合を示す図である。図３は、本実施形態に係る搬送装置１の搬送方法を説明するための概略平面図であって、被搬送物Ｔの長手方向が搬送方向に対して傾斜する場合を示す図である。なお、図２では、複数の被搬送物Ｔが連続的に搬送されている様子を示しているのに対して、図３では理解の容易のため、１つの被搬送物Ｔが第１搬送コンベア１０上を移動している様子を示す。
【００２５】
フリーザーＦにおいて冷凍された被搬送物Ｔは、図２に示すように、Ｙ方向の下向きに移動して第１搬送コンベア１０に移動される。被搬送物Ｔは、フリーザーＦから出てきた際に、図２に示すように、Ｘ方向が長手方向となるように配置されており、被搬送物Ｔは、Ｘ方向が長手方向となる姿勢で第１搬送コンベア１０に移動される。そして、Ｘ方向が長手方向となるように配置された被搬送物Ｔは、図２に示すように、サイドガイド６０に沿って、第１搬送コンベア１０上をＸ方向の右向きに移動する。そして、被搬送物Ｔは、ストッパー３０で停止することなく、第２搬送コンベア２０に乗り換えられて、次工程に搬送される。
【００２６】
一方、様々な要因で、図３に示すように、被搬送物Ｔの長手方向が搬送方向に対して傾斜した状態で、第１搬送コンベア１０に移動される場合がある。長手方向が搬送方向に対して傾斜した被搬送物Ｔは、図３に示すように、そのままの姿勢で第１搬送コンベア１０上をＸ方向の右向きに移動する。
【００２７】
そして、長手方向が搬送方向に対して傾斜した被搬送物Ｔは、ストッパー３０まで移動した後、ストッパー３０に接触して所定の方向に回転して（図３では反時計回り）、ストッパー３０によって、Ｘ方向の右向きへの移動が停止される。
【００２８】
そして、検知部４０は、ストッパー３０において被搬送物Ｔが停止したことを検知する。
【００２９】
そして、制御部は、検知部４０が被搬送物Ｔの存在を確認した信号を受信して、移動サイドガイド６２を駆動するシリンダーに信号を送信して、移動サイドガイド６２を鉛直方向の下向きに退避させる。さらに、制御部は、排出部５０に信号を送信して、排出部５０によって被搬送物Ｔに対してエアーを吹き付けて、第１搬送コンベア１０から排出させる。
【００３０】
そして、検知部４０が被搬送物Ｔを検知しなくなると、被搬送物Ｔのつまりが解消したとして、排出部５０のエアーが停止するとともに、移動サイドガイド６２が鉛直方向の上向きに移動する。
【００３１】
なお、長手方向が搬送方向に対して傾斜した被搬送物Ｔの中には、ストッパー３０によって、長手方向が搬送方向になるように姿勢が調整される場合もある。
【００３２】
このように本実施形態に係る搬送装置１によれば、長手方向が搬送方向に対して傾斜して配置される被搬送物Ｔが第１搬送コンベア１０上に留まることを防止でき、被搬送物Ｔを次工程に好適に搬送することができる。また、収納部Ａに収納された被搬送物Ｔは、作業者が例えば数時間おきに確認して、手作業で第１搬送コンベア１０に、長手方向が搬送方向となるように配置する。
【００３３】
例えば、従来の搬送装置だと、被搬送物の長手方向が搬送方向に対して傾斜すると、搬送コンベア上で停止して詰まってしまい、被搬送物Ｔが搬送できなくなる可能性がある。このため、作業者がその都度、修正の作業を行わなければならず作業が非常に煩雑である。これに対して、本実施形態に係る搬送装置１によれば、上述のように数時間おきに作業を行うだけとなるため、作業が容易となる。換言すれば、作業者が搬送装置１の近くにいる必要がなくなるため、作業の煩雑が解消される。
【００３４】
以上説明したように、本実施形態に係る搬送装置１は、フリーザーＦから搬出された被搬送物Ｔを次工程に搬送する搬送装置である。搬送装置１は、フリーザーＦから搬出された被搬送物Ｔが搬送されるとともに、被搬送物Ｔの長手方向の長さＬ１よりも大きい幅Ｗ１を備える第１搬送コンベア１０と、第１搬送コンベア１０の下流側に連続して配置される第２搬送コンベア２０と、第１搬送コンベア１０内の下流において、下流側に向けて幅狭となるように配置され、長手方向が搬送方向に対して傾斜する被搬送物Ｔの搬送方向への移動を停止させるストッパー３０と、ストッパー３０において停止された被搬送物Ｔを検知する検知部４０と、ストッパー３０において停止された被搬送物Ｔを第１搬送コンベア１０から排出する排出部５０と、被搬送物Ｔの搬送をガイドするとともに、排出部５０が被搬送物Ｔを排出する際に退避可能なサイドガイド６０と、を有する。このように構成された搬送装置１によれば、長手方向が搬送方向に対して傾斜する被搬送物Ｔをストッパー３０によって停止させ、ストッパー３０において停止した被搬送物Ｔを、排出部５０によって、第１搬送コンベア１０から排出することができる。一方、長手方向が搬送方向と一致する被搬送物Ｔはストッパー３０に停止させられることなく、第１搬送コンベア１０から第２搬送コンベア２０に移動する。このため、長手方向が搬送方向に対して傾斜して配置される被搬送物Ｔが第１搬送コンベア１０上に留まることを防止でき、被搬送物Ｔを次工程に好適に搬送することができる。
【００３５】
また、検知部４０は、反射型の光電センサである。このように構成された搬送装置１によれば、上述したように透過型の光電センサと比較して、より確実に被搬送物Ｔを検知することができる。
【００３６】
また、排出部５０は、被搬送物Ｔをエアーによって排出する。このように構成された搬送装置１によれば、非接触で搬出することができるため、比較的柔らかいトレーのような被搬送物Ｔであっても、好適に第１搬送コンベア１０から被搬送物Ｔを排出することができる。
【００３７】
また、以上説明したように本実施形態に係る搬送方法は、フリーザーＦから搬出された被搬送物Ｔを次工程に搬送する搬送方法である。搬送方法は、被搬送物Ｔの長手方向の長さＬ１よりも大きい幅Ｗ１を備える第１搬送コンベア上を、被搬送物Ｔが搬送方向に沿って搬送される工程と、第１搬送コンベア１０内の下流において、下流側に向けて幅狭となるように配置されるストッパー３０によって、長手方向が搬送方向に対して傾斜する被搬送物Ｔの搬送方向への移動を停止させる工程と、ストッパー３０において停止した被搬送物Ｔを検知する工程と、被搬送物Ｔの検知に基づいて、移動サイドガイド６２を退避させる工程と、ストッパー３０において停止した被搬送物Ｔを第１搬送コンベア１０から排出する工程と、を有する。この搬送方法によれば、長手方向が搬送方向に対して傾斜する被搬送物Ｔをストッパー３０によって停止させ、ストッパー３０において停止した被搬送物Ｔを、排出部５０によって、第１搬送コンベア１０から排出することができる。一方、長手方向が搬送方向と一致する被搬送物Ｔはストッパー３０に停止させられることなく、第１搬送コンベア１０から第２搬送コンベア２０に移動する。このため、長手方向が搬送方向に対して傾斜して配置される被搬送物Ｔが第１搬送コンベア１０上に留まることを防止でき、被搬送物Ｔを次工程に好適に搬送することができる。
【００３８】
なお、本発明は上述した実施形態に限定されるものではなく、特許請求の範囲内で種々改変することができる。
【００３９】
例えば、上述した実施形態では、排出部５０は、エアーによって排出したが、排出部は、被搬送物Ｔを機械的に排出してもよい。
【００４０】
また、上述した実施形態では、被搬送物Ｔとして、冷凍麺が配置されたトレーを例に挙げて説明した。しかしながら、被搬送物は、これに限定されず、長手方向の長さおよび短手方向の長さが互いに異なるものであればよい。
【００４１】
また、上述した実施形態では、処理庫としてフリーザーを例に挙げて説明したが、食品を処理する処理庫であればフリーザーに限定されず、解凍庫や加熱庫等であってもよい。
【符号の説明】
【００４２】
１      搬送装置、
１０    第１搬送コンベア、
２０    第２搬送コンベア、
３０    ストッパー、
４０    検知部、
５０    排出部、
６０    サイドガイド、
Ｆ      フリーザー（処理庫）、
Ｔ      被搬送物。
【図１】
2020152543.tif 000003
【図２】
2020152543.tif 000004
【図３】
2020152543.tif 000005